(57)【要約】【課題】  運搬費や在庫に必要な空間を少なくするため、集草ボックスをコンパクトに梱包できるようにする。【解決手段】  集草ボックス２３の枠体を、側面視略逆Ｌ字状で左右一対のサイドフレーム１１１，１１１と、両サイドフレーム１１１，１１１の上部間を着脱可能に連結する梁フレーム１１３，１１４及び略コ字状のリヤフレーム１１２と、両サイドフレームの１１１，１１１下端間を着脱可能で且つ回動可能に連結する底板６２と、底板６２の後部とリヤフレーム１１２との間を着脱可能に連結する弾性体としての一対の板ばね１２２，１２２とで構成する。【選択図】  図１３
2006238798.tif 000002
【特許請求の範囲】
【請求項１】
刈取用のモア装置が装着された走行機体に、前記モア装置で刈り取られた刈取芝を回収する集草ボックスが着脱可能に取り付けられた走行型芝刈機であって、
前記集草ボックスは、側面視略逆Ｌ字状で左右一対のサイドフレームと、当該両サイドフレームの上部間を着脱可能に連結する前後一対の連結フレームと、前記両サイドフレームの下端間を着脱可能で且つ回動可能に連結する底板と、当該底板の後部と前記両サイドフレーム又は前記後ろ連結フレームとの間を着脱可能に連結する弾性体とで枠体が構成されている、
走行型芝刈機。
【請求項２】
前記後ろ連結フレームは平面視略コ字状に形成され、この後ろ連結フレームのうち同じ向きに突出する両水平アーム部は先端部に行くに従って互いの並び間隔が広がるように延びている一方、前記各サイドフレームの横アーム部は、これにつながる前記水平アーム部に対応して平面視で互いに内向き傾斜状に形成され、
前記各サイドフレームの横アーム部は前記後ろ連結フレームの各水平アーム部に対して着脱可能に嵌め合わされている、
請求項１に記載の走行型芝刈機。
【発明の詳細な説明】
【技術分野】
【０００１】
本発明は、地面に植立した芝草を刈り取るためのモア装置を備えた走行型芝刈機に関するものである。
【背景技術】
【０００２】
一般に、走行型芝刈機は、走行機体に装着された刈取用のモア装置と、このモア装置で刈り取られた刈取芝が搬送される排出ダクトと、当該排出ダクトに連通する集草ボックスとを備えている。この種の走行型芝刈機は、モア装置を地面に這わせた状態で当該モア装置内のロータリ刈刃を回転させることにより、地面に植立した芝草を刈り取ったのち、この刈取芝を排出ダクトから集草ボックスに回収するように構成されている（例えば特許文献１等参照）。
【特許文献１】特開２００４−１１３１３５号公報（図５及び図８参照）
【発明の開示】
【発明が解決しようとする課題】
【０００３】
ところで、この種の走行型芝刈機においては、運搬費や在庫に必要な空間を少なくするため、走行機体と集草ボックスとを分けて別々に梱包、保管及び運搬し、走行機体と集草ボックスとの連結作業を販売店等で行うことがある。この場合、集草ボックスは、運搬費等の節減のためにできるだけコンパクトに梱包するのが望ましい。
【０００４】
しかし、前記従来の走行型芝刈機では、集草ボックスは前面を開口した略箱型という立体的な形状であったから、この集草ボックスを単独で梱包したとしても、嵩張ってコンパクトに梱包することができないという問題があった。
【０００５】
そこで、本発明はこのような問題を解消した走行型芝刈機を提供することを技術的課題とするものである。
【課題を解決するための手段】
【０００６】
この技術的課題を解決するため、請求項１の発明は、刈取用のモア装置が装着された走行機体に、前記モア装置で刈り取られた刈取芝を回収する集草ボックスが着脱可能に取り付けられた走行型芝刈機であって、前記集草ボックスは、側面視略逆Ｌ字状で左右一対のサイドフレームと、当該両サイドフレームの上部間を着脱可能に連結する前後一対の連結フレームと、前記両サイドフレームの下端間を着脱可能で且つ回動可能に連結する底板と、当該底板の後部と前記両サイドフレーム又は前記後ろ連結フレームとの間を着脱可能に連結する弾性体とで枠体が構成されているというものである。
【０００７】
請求項２の発明は、請求項１に記載の走行型芝刈機において、前記後ろ連結フレームは平面視略コ字状に形成され、この後ろ連結フレームのうち同じ向きに突出する両水平アーム部は先端部に行くに従って互いの並び間隔が広がるように延びている一方、前記各サイドフレームの横アーム部は、これにつながる前記水平アーム部に対応して平面視で互いに内向き傾斜状に形成され、前記各サイドフレームの横アーム部は前記連結フレームの各水平アーム部に対して着脱可能に嵌め合わされているというものである。
【発明の効果】
【０００８】
請求項１のように構成すると、集草ボックスを、左右一対のサイドフレームと前後一対の連結フレームと底板と弾性体とに簡単に分割することができるので、前記集草ボックスの構成物品群を、嵩張らないように平面的にまとめてコンパクトに梱包することが可能になる。これにより、保管時や運搬時等の取り扱いが容易になると共に、保管に必要な空間や運搬費等のコストを抑制することができるという効果を奏する。
【０００９】
請求項２の構成によると、平面視略コ字状の後ろ連結フレームのうち同じ向きに突出する両水平アーム部を、先端部に行くに従って互いの並び間隔が広がるように延出させる一方、前記各サイドフレームの横アーム部を、これに連結される前記水平アーム部に対応して平面視で互いに内向き傾斜状に形成しているので、前記サイドフレームの横アーム部と前記後ろ連結フレームの水平アーム部との嵌め合わせ部分が、平面視で互いに前記後ろ連結フレームに向かうにつれて並び間隔が狭まるように延びていて平行状でなくなる。これにより、前記後ろ連結フレームを引っ張ったりしても前記両サイドフレームから簡単に抜けることはなく、前記両サイドフレームと前記後ろ連結フレームとを、嵌合するだけでガタ付きなく強固に連結することができる。
【００１０】
従って、簡単な構造で軽量化を図れるものでありながら、保管や運搬等に際しての分割及び梱包の容易性と、取り付け強度の向上とを同時に達成することができるという効果を奏する。
【発明を実施するための最良の形態】
【００１１】
以下、本発明を具体化した実施形態を図面（図１〜図１３）に基づいて説明する。図１は走行型芝刈機の全体側面図、図２は全体平面図、図３は動力伝達系統を示す平面図、図４はモア装置と排出ダクトとの関係を示す平断面図、図５は図２のＶ−Ｖ視側断面図、図６は機体フレームと集草ボックスとの連結構造を示す平面図、図７は回動支軸、支持枠体、連係手段及び集草ボックスの関係を示す分離斜視図、図８はＰＴＯクラッチレバーとＰＴＯクラッチとの関係を示す概略側面図、図９は集草ボックスが放出姿勢に切替え回動する態様の第１説明図、図１０は集草ボックスが放出姿勢に切替え回動する態様の第２説明図、図１１は集草ボックスが放出姿勢に切替え回動する態様の第３説明図、図１２は集草ボックスが放出姿勢に切替え回動する態様の第４説明図、図１３は集草ボックスの分離斜視図である。
【００１２】
まず、主に図１及び図２を参照しながら、走行型芝刈機の概要について説明する。図１及び図２に示すように、実施形態の走行型芝刈機においては、走行機体１は平面視略門型の機体フレーム２を備えている。当該機体フレーム２は、その左右両側の前後に配置した前後四輪３，３，４，４で支持されている。実施形態の左右両後輪４，４は、機体フレーム２の左右両外側面に固着された一対の門型ブラケット１４，１４の下端外側に装着されている。
【００１３】
走行機体１の上面前部を覆うフロントカウル５には、動力源としてのエンジン６と、操向丸ハンドル７ａを有する操縦コラム部７とが搭載されている。走行機体１の上面後部を覆うリヤカウル８内には、エンジン６からの出力を適宜変速して左右両後輪４，４に伝達するＨＳＴ式（静油圧式無断変速機構）等のミッションケース９が配置されている（図３参照）。
【００１４】
リヤカウル８上には運転座席１０が設けられている。この運転座席１０に座ったオペレータが操向丸ハンドル７ａを回動操作することにより、その操作量（回動量）に応じて左右両前輪３，３のかじ取り角（操向角度）が変わるように構成されている。
【００１５】
図２に示すように、運転座席１０の左側には、後述するモア装置１５を昇降操作するためのモア昇降レバー１１が前後回動可能に設けられている。運転座席１０の右側には、後述するＰＴＯ軸３０からモア装置１５への動力伝達を継断操作するＰＴＯクラッチレバー１２や、後述する集草ボックス２３の姿勢を切り替える操作手段としての姿勢切替レバー１３が前後回動可能に設けられている。
【００１６】
なお、操縦コラム部７の裏面（後面）側には、走行機体１の車速を適宜調節するための変速ペダルと、走行機体１を制動操作するためのブレーキペダルとが立設されている。
【００１７】
機体フレーム２の下面のうち左右両前輪３，３と左右両後輪４，４との間には、モア装置１５が前後一対の連結杆１６，１７を介して昇降動可能に装着されている。モア装置１５は、下向き開口椀状のモアケース１８内に、水平回転可能な左右一対のロータリ刈刃１９，１９を備えている（図３参照）。
【００１８】
また、モアケース１８の左右両側の前後には、下降時にモア装置１５の高さを調節する４つのゲージ車輪２０が取付けられている。モアケース１８には、後向きに延びるダクト部２１が設けられている。このダクト部２１は、機体フレーム２の下面のうち左右両後輪４，４の間に配置された排出ダクト２２を介して走行機体１の後部に配置された集草ボックス２３に連通している。
【００１９】
次に、図３を参照しながら、走行型芝刈機の動力伝達系統について説明する。実施形態の走行型芝刈機では、エンジン５の回転動力の一部を左右両後輪４，４に配分する二輪駆動方式が採用されている。
【００２０】
すなわち、エンジン６の回転動力の一部は、当該エンジン６に前後外向きに突設された出力軸２４の後端部から、前後両端に自在継手を備えた推進軸２５、ミッションケース９の前方に配置された走行用ギヤボックス２６及び無端ベルト２７を介して、ミッションケース９に伝達される。そして、このミッションケース９に左右外向きに突設された横軸（図示せず）から無端チェーン（図示せず）を介して走行機体１の後ろ寄り部位に設けられた左右長手の後輪駆動軸２８に伝達される。その結果、後輪駆動軸２８の左右両端に取付けられた後輪４，４が回転駆動する。
【００２１】
他方、エンジン６の他の回転動力は、出力軸２４の前端部から無端帯２９を介して、機体フレーム２の前部に軸支されたＰＴＯ軸３０に伝達される。次いで、このＰＴＯ軸３０から、前後両端に自在継手を備えた中間軸３１、モアケース１８の上面のうち機体フレーム２よりも右側の部位に配置されたモア用ギヤボックス３２及び無端ベルト３３を介して、モアケース１８のうち平面視で機体フレーム２を挟んだ両側に回転可能に軸支された縦長のロータリ軸３４，３４に動力伝達される。その結果、左ロータリ刈刃１９は平面視で時計方向に回転駆動し、右ロータリ刈刃１９は平面視で反時計方向に回転駆動する。
【００２２】
左右両ロータリ刈刃１９，１９の回転により、モアケース１８から集草ボックス２３に向けて後ろ向きに流れる搬送風が形成される。この搬送風が各ロータリ刈刃１９で刈り取られた刈取芝を集草ボックス２３にまでスムーズに搬送する。
【００２３】
次に、図４及び図５を参照しながら、モアケース１８のダクト部２１と集草ボックス２３との連通構造について説明する。
【００２４】
モアケース１８から後向きに延びるダクト部２１は上方及び後方に向かって開口している。ダクト部２１の上向き開口２１ａは断面下向きコ字状の上カバー体３５で覆われている。実施形態では、上カバー体３５における左右両側板の前端部がダクト部２１に対して左右一対の枢着ピン３６，３６で上下回動可能に連結されている。上カバー体３５の後端部は排出ダクト２２の搬入口（前面開口）内に差し込まれている。各枢着ピン３６にはねじりばね３７が被嵌されている。上カバー体３５は、各ねじりばね３７の弾性復元力により、常時排出ダクト２２の上部内面に当接するように上向き回動する方向に付勢されている。
【００２５】
モアケース１８のダクト部２１と上カバー体３５とで囲まれた空間に連通する排出ダクト２２は、機体フレーム２に固着された断面下向きコ字状の主ダクト体４１と、主ダクト体４１における左右両側板の前部内面に配置された一対の揺動側板４２，４２と、主ダクト体４１の下向き開口４１ａを塞ぐ前後２枚の回動板４３，４４とを備えている。前後２枚の回動板４３，４４は、その下面側に両回動板４３，４４に跨って配置されたリンク機構としてのリンク杆５３を介して、相互に連動して起伏（上下）回動するように構成されている。
【００２６】
各揺動側板４２は、その後端部を主ダクト体４１の左右側板に枢支ピン４５で枢着することにより、主ダクト体４１に対して上下回動可能に連結されている。各揺動側板４２の前部（モア装置１５寄りの自由端部）は、モア装置１５の昇降動に連動して揺動側板４２が枢支ピン４５回りに上下回動するように、連杆４６を介してモアケース１８に連結されている（図１及び図５参照）。
【００２７】
左右両揺動側板４２，４２の中央下部の間には、水平状に延びる前枢軸４７が装架されている。揺動側板４２のうち前枢軸４７よりも前方の箇所には、左右内向きに突出する支持ピン４８が固着されている。左右両揺動側板４２，４２における前枢軸４７よりも後方の箇所には、断面円形で細軸状の支持バー４９が装架されている。
【００２８】
下向き開口４１ａの前半部を塞ぐ前回動板４３は、その下面後部に設けられた筒状部材５０を前枢軸４７に回動可能に被嵌することにより、左右両揺動側板４２，４２に対して前枢軸４７回りに起伏（上下）回動可能に取り付けられている。下向き開口４１ａの前半部を塞ぐように前回動板４３を下向き回動させたときには、その前部は左右一対の支持ピン４８，４８に当接して支持される。換言すると、前回動板４３の下向き回動は、その前部が両支持ピン４８，４８に当たる位置（図４及び図５参照）までに規制されている。
【００２９】
後回動板４４は、下向き開口４１ａの後半部や排出ダクト２２の搬出口（後面開口）に嵌る程度の面積を有する矩形薄板状のものである。後回動板４４は、その下面後部に設けられた筒状部材５２を左右両門型ブラケット１４，１４の後部間に装架された後枢軸５１に回動可能に被嵌することにより、左右両門型ブラケット１４，１４に対して後枢軸５１回りに起伏（上下）回動可能に取り付けられている。
【００３０】
下向き開口４１ａの後半部を塞ぐように後回動板４４を下向き回動させたときには、その前部はリンク杆５３を介して横長の支持バー４９に当接して支持される。この支持バー４９の存在により、後回動板４４が図５及び図９〜図１１に示す位置を超えてまで下向き回動することはない。
【００３１】
前後両回動板４３，４４の前後長さは、跳ね上げ回動時に先端（前端）が排出ダクト２２の天井面に干渉しない程度の長さに設定されている。
【００３２】
前後両回動板４３，４４の下面側に配置されたリンク機構としてのリンク杆５３は、その長手両端部に横向き筒状のボス部５４が一体に形成された略Ｉ字棒状のものである。実施形態では、各回動板４３（４４）の下面後部に固着された左右一対のブラケット片５５，５５の間にリンク杆５３のボス部５４を介挿した状態で、連結ピン５６が一方のブラケット片５５からボス部５４を経て他方のブラケット片５５にまで抜き差し可能に挿入固定されている。
【００３３】
この場合、前回動板４３の後端部には、平面視でリンク杆５３の一端部（前端部）と重なる箇所に、前後に長い間隙部５７が切り欠き形成されている。この間隙部５７の存在により、前後長手のリンク杆５３を両回動板４３，４４の下面側に両者４３，４４に跨るようにして配置していても、両回動板４３，４４の連動しての上下回動時に、前回動板４３の後端部とリンク杆５３との干渉が回避される。
【００３４】
なお、前回動板４３の両ブラケット片５５，５５に形成され且つ連結ピン５６が貫通する穴は、両回動板４３，４４をスムーズに連動して上下回動させるために前後長手の長穴となっている。これにより、後回動板４４の跳ね上げ回動にやや遅れて、前回動板４３が跳ね上げ回動することになり、後回動板４４は、その先端（前端）を前回動板４３の後端に引っ掛けることなくスムーズに跳ね上げ回動することができる。リンク杆５３の前端部には、前回動板を下向き回動させたときに間隙部５７を塞ぐための閉塞板５８が設けられている。
【００３５】
後枢軸５１のうち門型ブラケット１４の外側に突出した一端部には、この後枢軸５１と交差する方向に延びるように伝動アーム５９が固着されている。この伝動アーム５９の先端部が後述する中継杆９７の他端部に連結されている。
【００３６】
次に、図５〜図７を主に参照しながら、機体フレーム２と集草ボックス２３との連結構造について説明する。
【００３７】
集草ボックス２３は前面を開口した略箱型のものであり、アクチュエータとしての油圧シリンダ１０１（詳細は後述する）の駆動により、集草姿勢と放出姿勢とに切り替わるように回動支軸７１回りに上下回動する構成となっている。集草ボックス２３は、その骨組を構成する枠体６１と、枠体６１及び底板６２の周囲を覆う網又は布製の袋体６３とを備えている。枠体６１の底面を形成する底板６２の前端部は、枠体６１に対して横長の水平軸６４で回動可能に軸支されている。集草ボックス２３の上面には、袋体６３の網目を通り抜ける塵埃が走行機体１側へ回り込むのを防ぐための蓋カバー体６５が着脱可能に設けられている。
【００３８】
枠体６１の上部のうち前面開口寄りの部位には左右一対のプレート板６６，６６が固着されている。これら両プレート板６６，６６が機体フレーム２の後端部に装着された支持枠体７２に対して水平筒状の回動支軸７１で着脱可能に連結されている。回動支軸７１のうち支持枠体７２を挟んで両側には、当該回動支軸７１と一体に回動する係合金具７３，７３が配置されている。これら両係合金具７３，７３は、回動支軸７１回りに回動することにより、枠体６１のうち回動支軸７１の後方に位置する後梁フレーム１１４に係脱するように構成されている。
【００３９】
回動支軸７１の自軸回りの回動で両係合金具７３，７３が上向き回動すると、両係合金具７３，７３は後梁フレーム１１４に下方から係合してこれを持ち上げる。その結果、集草ボックス２３は回動支軸７１を中心に上向き回動して、前面開口を地面に向けて刈取芝を放出する放出姿勢となる（図１の二点鎖線状態及び図１２参照）。
【００４０】
逆に、両係合金具７３，７３が下向き回動すると、両係合金具７３，７３と後梁フレーム１１４との係合が解除され、集草ボックス２３は回動支軸７１に対して自由回動可能な状態となる。これにより、集草ボックス２３は自重により回動支軸７１を中心に下向き回動して、前面開口を排出ダクト２２の搬出口に向けてモア装置１５で刈り取られた刈取芝を受け入れる集草姿勢に戻る（図１の実線状態、図５及び図９参照）。
【００４１】
支持枠体７２は、回動支軸７１が回動可能に差し込まれる横長のパイプ部材７４と、このパイプ部材７４の左右両側に配置された側枠体７５，７５と、当該両側枠体７５，７５の前部間に固着された横梁部材７６とを備えている。各側枠体７５は、横長筒状の挿入管部７７と、挿入管部７７の後端に上向き突設された起立部７８と、挿入管部７７及び起立部７８の一側面に固着された側板７９とからなっている。実施形態では、支持枠体７２の各挿入管部７７が機体フレーム２の左右後端に各々後方から嵌め込み装着されている。
【００４２】
回動支軸７１の左右端部は、枠体６１の各プレート板６６に形成された軸穴６６ａに回動可能に挿入されている。回動支軸７１の一端部には、パイプ部材７４とプレート板６６との間に、前述の係合金具７３に固着された筒部材８０が被嵌されている。
【００４３】
実施形態では、一方のプレート板６６の軸穴６６ａを貫通した回動支軸７１の内径部に頭付きの第１連結軸８１が挿入されている。そして、第１連結軸８１の先端部に貫通形成された穴８１ａと、回動支軸７１の一端部に貫通形成された穴７１ａと、筒部材８０に貫通形成された穴８０ａとを合致させた状態で、当該穴７１ａ，８０ａ，８１ａ群に第１係止ピン８２が着脱可能に差し込まれている。これにより、第１連結軸８１と回動支軸７１と筒部材８０との三者は、共に一体に回動し且つ回動支軸７１が一方のプレート板６６から抜け不能となるように連結されている。
【００４４】
回動支軸７１の他端部には、パイプ部材７４とプレート板６６との間に、前述の係合金具７３と一対の固定リンク８３，８４とが固着されている（固定リンクは少なくとも１つあればよい）。回動支軸７１のうち第２固定リンク８４とパイプ部材７４との間には、略菱形状の回動リンク８５が回動可能に被嵌されている。
【００４５】
実施形態では、他方のプレート板６６よりも外側の箇所に、ロックアーム８６に固着された筒部材８７を配置し、この筒部材８７と他方のプレート板６６の軸穴６６ａを貫通した回動支軸７１の内径部とに、略Ｊ字状に形成された第２連結軸８８の長軸部８９が挿入されている。そして、回動支軸７１のうち第１固定リンク８３と係合金具７３との間の箇所に貫通形成された穴７１ｂに、第２連結軸８８の長軸部８９先端に貫通形成された穴８９ｂを介して、第２係止ピン９１が着脱可能に差し込まれている。これにより、第２連結軸８８と回動支軸７１とは、回動支軸７１が他方のプレート板６６から抜け不能となるように連結されている。
【００４６】
ロックアーム８６の略中央部には、第２連結軸８８の短軸部９０を嵌め込むための嵌合穴８６ａが形成されている。実施形態では、第２連結軸８８と回動支軸７１とを第２係止ピン９１で連結すると共に、第２連結軸８８の短軸部９０をロックアーム８６の嵌合穴８６ａに挿入することにより、ロックアーム８６が回動支軸７１と一体に回動するように構成されている。
【００４７】
ロックアーム８６のうち筒部材８７と反対側の端部は、略棒状の連杆１００を介して、集草ボックス２３の下端前部に位置する水平軸６４の端部に固着された係合リンク９２に連結されている。この係合リンク９２は、水平軸６４回りに回動することにより、排出ダクト２２の後端下部に設けられた鉤状の係合片９３（図９及び図１０参照）に係脱するように構成されている。
【００４８】
左右一対の固定リンク８３，８４には、アクチュエータとしての油圧シリンダ１０１から突出するピストンロッド１０２の先端部が横長のガイドピン９４で回動可能に枢着されている。油圧シリンダ１０１の基端部は、機体フレーム２の後端部に設けられたブラケット９５に対してピン軸９６で回動可能に連結されている（図５及び図６参照）。
【００４９】
第１固定リンク８３の上下中途部に形成された挿入穴８３ａには、略棒状の接続ロッド１０３の一端に形成された鉤状部１０４が嵌挿されている。接続ロッド１０３の他端部は、ＰＴＯクラッチレバー１２の回動中心であるレバー軸１０５に固着されたクラッチ操作板１０６に連結されている。
【００５０】
回動リンク８５には、側面視で回動支軸７１を中心とする略円弧状の案内溝穴８５ａが貫通形成されている。実施形態では、この案内溝穴８５ａに対して、両固定リンク８３，８４と油圧シリンダ１０１のピストンロッド１０２とをつなぐガイドピン９４の先端部が摺動可能で且つ抜け不能に差し込まれている。
【００５１】
回動リンク８５の下端部には、略長板状の中継杆９７の一端部が枢着ピン９８で回動可能に枢着されている。中継杆９７の他端部は、後枢軸５１の一端に固着された伝動アーム５９に枢着ピン９９で回動可能に枢着されている。この中継杆９７の存在により、集草ボックス２３側の回動リンク８５と排出ダクト２２側の伝動アーム５９とは連動して互いに逆方向に回動するように構成されている。すなわち、例えば回動リンク８５を時計方向に回動させると、伝動アーム５９は反時計方向に回動するように構成されている。
【００５２】
なお、回動支軸７１側の両固定リンク８３，８４及び回動リンク８５と、排出ダクト２２側の伝動アーム５９と、回動リンク８５と伝動アーム５９とをつなぐ中継杆９７とが、特許請求の範囲に記載された連係手段に相当する。
【００５３】
次に、図５及び図８等を参照しながら、ＰＴＯクラッチレバー１２の入り切り状態に応じて、集草ボックス２３の姿勢切替え回動を許容したり規制したりする機構について説明する。
【００５４】
ＰＴＯクラッチレバー１２と共にレバー軸１０５回りに一体回動するクラッチ操作板１０６は、テンションクラッチ式のＰＴＯクラッチ１０７に対してクラッチワイヤ１０８で連結されている。
【００５５】
ＰＴＯクラッチレバー１２を図８の実線で示す入り位置まで後向き傾動させると、クラッチワイヤ１０８が引っ張られて、ＰＴＯクラッチ１０７が無端帯２９（図３及び図８参照）を押圧する。これにより、無端帯２９が緊張して、エンジン６からの動力がＰＴＯ軸３０に伝達される。ＰＴＯクラッチレバー１２を図８の一点鎖線で示す切り位置まで前向き傾動させると、クラッチワイヤ１０８が緩められて、ＰＴＯクラッチ１０７が無端帯２９から離れる。これにより、無端帯２９が緩んで、エンジン６からＰＴＯ軸３０への動力伝達が遮断される。
【００５６】
クラッチ操作板１０６の下端部には、前後方向に貫通する摺動穴付きの連結ブロック１０９が回動可能に枢着されている。この連結ブロック１０９の摺動穴内に、接続ロッド１０３の他端部がその長手方向に沿ってスライド可能に挿入されている。接続ロッド１０３のうち連結ブロック１０９よりも前方の他端部には、抜け止め用の止めピン１１０が固着されている。
【００５７】
集草ボックス２３が集草姿勢のときに、ＰＴＯクラッチレバー１２を切り位置から入り位置までの回動ストロークθでレバー軸１０５回りに前後回動させると、連結ブロック１０９が接続ロッド１０３に対して、最前位置（図８の実線状態参照）から最後位置（図８の一点鎖線状態参照）までの摺動ストロークＬで前後摺動（スライド）するように構成されている。
【００５８】
集草ボックス２３が集草姿勢で且つＰＴＯクラッチレバー１２が切り位置のときは、接続ロッド１０３の他端部は、連結ブロック１０９から摺動ストロークＬだけ前方に突出している。これにより、集草ボックス２３を放出姿勢に切替え回動させる際に、第１固定リンク８３が接続ロッド１０３を後方へ引き寄せると、接続ロッド１０３は摺動ストロークＬの分だけ後方へスライドすることになるから、クラッチ操作板１０６と接続ロッド１０３との連結が集草ボックス２３の放出姿勢への切替え回動を妨げることはない。換言すると、ＰＴＯクラッチレバー１２が切り位置のときは、集草ボックス２３を集草姿勢と放出姿勢とに切替え回動させることができる。
【００５９】
ＰＴＯクラッチレバー１２が入り位置のときは、接続ロッド１０３の他端部に設けられた止めピン１１０が連結ブロック１０９の近傍に位置しているので、集草ボックス２３を放出姿勢に切替え回動させようとしても、止めピン１１０が連結ブロック１０９に突き当たって、接続ロッド１０３はそれ以上後方にスライドすることができない。これにより、集草ボックス２３の放出姿勢への切替え回動が規制されている。
【００６０】
すなわち、ＰＴＯクラッチレバー１２が切り位置にあるときは、姿勢切替レバー１３の操作で、集草ボックス２３を集草姿勢と放出姿勢とに切替え回動させることができるが、ＰＴＯクラッチレバー１２が入り位置にあるときは、姿勢切替レバー１３の操作に拘らず、集草ボックス２３は集草姿勢で維持され、放出姿勢となるように切替え回動することはない。
【００６１】
このように構成すると、ＰＴＯクラッチレバー１２を入り操作してモア装置１５を駆動させたままで、集草ボックス２３が放出姿勢となるように姿勢切替レバー１３を操作したとしても、接続ロッド１０３の後方へのスライドが規制されるので、集草ボックス２３を放出姿勢に切り替えることはできない。従って、モア装置１５を駆動させた状態では、刈取芝はモア装置１５から排出ダクト２２を経て集草ボックス２３内に搬送されることになり、刈取芝が走行機体１の周囲に撒き散らされるのを確実に防止することができる。
【００６２】
集草ボックス２３が放出姿勢のときは、接続ロッド１０３の他端部に設けられた止めピン１１０が連結ブロック１０９の近傍に位置することになるので、ＰＴＯクラッチレバー１２を入り操作しようとしても、止めピン１１０が連結ブロック１０９に突き当たって、クラッチ操作板１０６が図８の時計方向にレバー軸１０５回りに回動することができない。これにより、集草ボックス２３が放出姿勢のときに作業者がＰＴＯクラッチレバー１２に不用意に当たって入り操作しようとしても、ＰＴＯクラッチレバー１２は入り位置に後向き傾動することができないので、結果的にモア装置１５は駆動しない（左右両ロータリ刈刃１９，１９が回転駆動しない）。
【００６３】
従って、集草ボックス２３が放出姿勢のときに、作業者が気づかないうちにモア装置１５が駆動して刈取芝を排出ダクトの搬出口（後面開口）から後方に撒き散らしてしまうことを未然に防止することができるのである。
【００６４】
次に、図９〜図１２を参照しながら、排出ダクト２２側の前後両回動板４３，４４と集草ボックス２３とが上下回動する態様について説明する。ここで、ＰＴＯクラッチレバー１２は予め切り位置にまで前向き傾動させているものとする。
【００６５】
姿勢切替レバー１３を前向きに傾動操作すると、油圧シリンダ１０１のピストンロッド１０２が伸長して、一対の固定リンク８３，８４が回動支軸７１回りに図９の反時計方向に上向き回動することにより、両固定リンク８３，８４が固着された回動支軸７１と共に、一対の係合金具７３，７３とロックアーム８６とが図９の反時計方向に一体に上向き回動する。
【００６６】
そうすると、両係合金具７３，７３は枠体６１を構成する後梁フレーム１１４に下方から係合する。ロックアーム８６はその上向き回動により連杆１００を引き上げるので、係合リンク９２が排出ダクト２２の係合片９３から外れて係合解除される（図１０参照）。      
【００６７】
図１０に示す作動初期の段階では、両係合金具７３，７３が枠体６１を構成する後梁フレーム１１４に下方から係合するまで、集草ボックス２３が回動支軸７１に対して自由回動可能な状態にあるので、集草ボックス２３は集草姿勢を維持する。
【００６８】
また、ピストンロッド１０２に枢着されたガイドピン９４の先端部は回動リンク８５の案内溝穴８５ａ内をその後端縁に向かってスライドするので、回動支軸７１に対して自由回動可能な状態にある回動リンク８５自体は回動せずに静止している。その結果、中継杆９７を介して回動リンク８５に連結された伝動アーム５９及び後枢軸５１、ひいては前後両回動板４３，４４も回動しない。従って、この段階では係合リンク９２と係合片９３との係合解除動作だけが行われる。
【００６９】
次いで、ガイドピン９４の先端部が案内溝穴８５ａの後端縁に突き当たるまで油圧シリンダ１０１のピストンロッド１０２が伸長して、両係合金具７３，７３が後梁フレーム１１４を持ち上げるように回動支軸７１回りに上向き回動すると、集草ボックス２３は、前面開口が前方斜め下向きとなるように適宜角度δ（例えば３０°〜６０°程度）だけ回動支軸７１回りに上向き回動して、前方斜め下向きの放出姿勢となる（図１１の実線状態参照）。一般には、この時点で集草ボックス２３内の刈取芝が地上に滑り落ち始める。
【００７０】
図１１に示す作動中期の段階でも、ガイドピン９４の先端部が案内溝穴８５ａの後端縁に突き当たるまでは、回動リンク８５は回動せずに静止しているので、中継杆９７を介して回動リンク８５に連結された伝動アーム５９及び後枢軸５１、ひいては前後両回動板４３，４４は回動せずに、排出ダクト２２（主ダクト体４１）の下向き開口４１ａを塞ぐ姿勢を維持する。
【００７１】
次いで、油圧シリンダ１０１のピストンロッド１０２が更に伸長して、両係合金具７３，７３が回動支軸７１回りに上向き回動することにより、集草ボックス２３は、回動支軸７１回りに上向き回動して、前面開口が下を向いた放出姿勢となる（図１２参照）。そうすると、集草ボックス２３内の刈取芝は地上に向けて一気に排出される。
【００７２】
この場合、ガイドピン９４の先端部は案内溝穴８５ａの後端縁に当たっているので、両係合金具７３，７３と共に回動リンク８５も回動支軸７１回りに上向き回動する。そうすると、中継杆９７を介して回動リンク８５に連結された伝動アーム５９及び後枢軸５１は、図１２の時計方向（回動支軸７１と逆方向）に後枢軸５１回りに回動するので、後回動板４４が排出ダクト２２の搬出口を塞ぐように後枢軸５１回りに跳ね上げ回動する。この後回動板４４はリンク杆５３を介して前回動板４３に連結されているので、前回動板４３は後回動板４４の跳ね上げ回動と連動して前枢軸４７回りに跳ね上げ回動する。これにより、排出ダクト２２（主ダクト体４１）の下向き開口４１ａが開放される。
【００７３】
一方、姿勢切替レバー１３を後向きに傾動操作すると、油圧シリンダ１０１のピストンロッド１０２が短縮して、一対の固定リンク８３，８４が回動支軸７１回りに図１２の反時計方向に下向き回動することにより、両固定リンク８３，８４が固着された回動支軸７１と共に、一対の係合金具７３，７３とロックアーム８６とが図１２の時計方向に一体に下向き回動する。
【００７４】
そうすると、両係合金具７３，７３と後梁フレーム１１４との係合が解除され、集草ボックス２３は回動支軸７１に対して自由回動可能な状態となるので、集草ボックス２３は自重により回動支軸７１を中心に下向き回動して集草姿勢に戻る。そして、ロックアーム８６はその下向き回動により連杆１００を押し下げるので、係合リンク９２が排出ダクト２２の係合片９３に蹴り込み係合し、集草ボックス２３が回動不能にロックされる。
【００７５】
また、ピストンロッド１０２の短縮動により、ピストンロッド１０２に枢着されたガイドピン９４の先端部が回動リンク８５の案内溝穴８５ａの前端縁までスライドして突き当たるので、両係合金具７３，７３と共に回動リンク８５も回動支軸７１回りに下向き回動する。そうすると、中継杆９７を介して回動リンク８５に連結された伝動アーム５９及び後枢軸５１は、図９の反時計方向（回動支軸７１と逆方向）に後枢軸５１回りに回動するので、後回動板４４が排出ダクト２２の搬出口を開放するように後枢軸５１回りに下向き回動すると共に、これに連動して前回動板４３が前枢軸４７回りに下向き回動する。これにより、排出ダクト２２（主ダクト体４１）の下向き開口４１ａが塞がれる。
【００７６】
以上のことから、実施形態の走行型芝刈機によると、作業者が姿勢切替レバー１３を前向きに傾動操作するだけで、集草ボックス２３が放出姿勢に姿勢変更回動すると共に前後両回動板４３，４４が跳ね上げ回動するので、放出姿勢に姿勢変更回動した集草ボックス２３から刈取芝を放出するたびに、前後両回動板４３，４４上に溜まった刈取芝を、前後両回動板４３，４４の跳ね上げ回動で地上に滑り落とすことができる。
【００７７】
しかも、前後両回動板４３，４４の前後長さを、跳ね上げ回動時に先端（前端）が排出ダクト２２の天井面に干渉しない程度の長さに設定しているので、前後両回動板４３，４４の両方を、跳ね上げ回動時に地面に対して大きく傾斜させることができ、その結果、前後両回動板４３，４４上に溜まった刈取芝をスムーズに地上に放出することができる。従って、刈取芝の堆積による排出ダクト２２の詰りを確実に抑制することができる。
【００７８】
また、集草ボックス２３が放出姿勢に姿勢変更回動するのに遅れて、前後両回動板４３，４４が跳ね上げ回動するというように、集草ボックス２３の放出姿勢への回動と後回動板４４の跳ね上げ回動との作動タイミングをずらすことにより、集草ボックス２３から先に刈取芝が放出されるので、後回動板４３上を滑り落ちる刈取芝と集草ボックス２３から放出される刈取芝とが排出ダクト２２の搬出口の近傍箇所で干渉し合う（衝突する）ことはなくなる。これにより、集草ボックス２３から放出された刈取芝の堆積山は、その最も高い位置が排出ダクト２２の搬出口から十分後方に離れることになり、排出ダクト２２の搬出口の近傍箇所に刈取芝の堆積山が形成されることはなくなる。
【００７９】
従って、排出ダクト２２の搬出口の近傍箇所に、後回動板４４上の刈取芝が溜まるのに十分なスペースを確保することができ、後回動板４４上の刈取芝を確実に地上に放出することができる。
【００８０】
なお、集草ボックスが放出姿勢に姿勢変更回動するのに遅れて後回動板４４を上向き回動させる主要な構成としては、略円弧状の案内溝穴８５ａが形成された回動リンク８５を使用するに過ぎないので、構造が簡単で部品点数も少なくて済み、製造コストの低減に寄与することもできる。
【００８１】
また、排出ダクト２２の底面を構成する前後両回動板４３，４４が、その下面側に跨って配置されたリンク機構としてのリンク杆５３を介して、互いに連動して起伏（上下）回動する構成であるので、通常の刈取作業時には排出ダクト２２の底面を前後両回動板４３，４４で十分に塞ぐことができる。これにより、排出ダクト２２の底面からの刈取芝の漏れ出しを効果的に防止することができる。
【００８２】
そして、後回動板４４だけでなく前回動板４３も跳ね上げ回動可能であるから、排出ダクト２２の底面のうちどの箇所に刈取芝が溜まったとしても、この刈取芝を前後両回動板４３，４４の跳ね上げ回動で地上に滑り落とすことができる。これにより、作業者が排出ダクト２２内に溜まった刈取芝を手作業で取り除く必要がなくなり、作業者の負担を軽減することができるのである。
【００８３】
さらに、前後両回動板４３，４４を互いに連動して起伏回動させるためのリンク機構として、長手両端部に横向き筒状のボス部５４が一体に形成された略Ｉ字棒状のリンク杆５３を採用しているから、構造が簡単で部品点数も少なくて済み、製造コストの低減に寄与することができる。しかも、リンク杆５３は両回動板４３，４４の下面側に跨って配置されているので、前後両回動板４３，４４を下向き回動させた状態では、リンク杆５３は刈取芝が搬送される排出ダクト２２の外に位置することになる。これにより、リンク杆５３の存在が刈取芝の集草ボックス２３への搬送を妨げることはない。
【００８４】
実施形態では、後回動板４４を、後枢軸５１回りに跳ね上げ回動した状態で排出ダクト２２の後面開口を塞ぐ大きさに設定しているので、放出姿勢に切替え回動した集草ボックス２３から刈取芝を放出するに際して、排出ダクト２２の搬出口（後面開口）は、後枢軸５１回りに跳ね上げ回動した後回動板４４で塞がれることになる。これにより、集草ボックス２３から排出ダクト２２内に刈取芝が逆流するのを確実に防止することができる。
【００８５】
次に、走行機体１から集草ボックス２３を取り外す態様の一例について説明する。ここで、集草ボックス２３の上面に設けられた蓋カバー体２６は予め取り外されているものとする。
【００８６】
まず、回動支軸７１と係合金具７３に固着された筒部材８０と第１連結軸８１との三者を連結する第１係止ピン８２を抜き取って、回動支軸７１と筒部材８０と第１連結軸８１との三者の連結を解除してから、第１連結軸８１を左右外向きに引き抜く。また、回動支軸７１と第２連結軸８８とを連結する第２係止ピン９１を抜き取って、回動支軸７１と第２連結軸８８との連結を解除してから、第２連結軸８８を左右外向きに引き抜く。
【００８７】
次いで、ロックアーム８６に固着された筒部材８７を取り外してから、集草ボックス２３を左右方向にずれ動かしたり回動支軸７１を長手方向にずれ動かしたりすることにより、左右両プレート板６６の軸穴６６ａから回動支軸７１の端部をそれぞれ引き抜いて、走行機体１の後部から集草ボックス２３のみを取り外すのである。
【００８８】
従って、走行機体１側に支持枠体７２及び回動支軸７１を残したままで、集草ボックス２３のみを走行機体１の後部から簡単に取り外すことができる。これにより、支持枠体７２及び回動支軸７１のない分だけ集草ボックス２３の重量は軽くなるから、取り外しの手間を軽減することができ、マルチング作業をする際やメンテナンス時の作業効率を向上させることができる。
【００８９】
実施形態では、連結軸８１，８８と係止ピン８２，９１とを利用して、回動支軸７１の各端部をプレート板６６に着脱可能に連結しているので、各係止ピン８２（９１）を抜き取ったのち各連結軸８１（８８）を引き抜くという簡単な作業で、集草ボックス２３のみを走行機体１の後部からスムーズに取り外すことができる。もちろん、前記と逆の手順を踏めば、走行機体１の後部に集草ボックス２３を簡単に取り付けられる。
【００９０】
以上のことから、集草ボックス２３の走行機体１に対する着脱作業を手軽に行うことができるのである。
【００９１】
また、実施形態では、連結軸８１，８８と係止ピン８２，９１とを利用して、回動支軸７１を支持枠体７２と集草ボックス２３の各プレート板６６とに対して着脱可能に装着する構成を採用しているので、回動支軸７１自体も走行機体１と集草ボックス２３とを連結させる役割を兼ねている。従って、集草ボックス２３を走行機体１に対して姿勢変更回動可能に連結するための機構が部品点数の少ない簡単な構造となり、コストの抑制にも寄与することができるのである。
【００９２】
次に、図１３等を参照しながら、集草ボックス２３の詳細な構造について説明する。
【００９３】
図１３に示すように、集草ボックス２３の枠体６１は、側面視略逆Ｌ字状で左右一対のサイドフレーム１１１，１１１と、当該両サイドフレーム１１１，１１１の上部間を着脱可能に連結する後ろ連結フレームとしての略コ字状のリヤフレーム１１２と、両サイドフレーム１１１，１１１の縦アーム部１１６，１１６の下端間を着脱可能で且つ回動可能に連結する底板６２と、当該底板６２の後部とリヤフレーム１１２との間を着脱可能に連結する弾性体としての一対の板ばね１２２，１２２と、両サイドフレーム１１１，１１１のコーナ部間を連結する前後２本の梁フレーム１１３，１１４とを備えている。
【００９４】
実施形態では、左右各サイドフレーム１１１のコーナ部に固着されたプレート板６６に対して、前後の梁フレーム１１３，１１４の各端部がそれぞれねじ止めされている。各サイドフレーム１１１の縦アーム部１１６の下端部には、貫通穴１１７ａを有するブラケット片１１７が後向きに突出するように溶接等で固着されている。底板６２の下面前部に固着された水平軸６４の左右内径部に、各ブラケット片１１７の貫通穴１１７ａを介して取り付けねじ１１８を左右外側からねじ込むことにより、底板６２は左右両サイドフレーム１１１，１１１で上下（起伏）回動可能に支持されている。
【００９５】
リヤフレーム１１２の両水平アーム部１２０，１２０は、先端部に行くに従って互いの並び間隔が広がるように（略ハ字状に並ぶように）形成されている一方、各サイドフレーム１１１の横アーム部１１５は、前述した水平アーム部１２０に対応して平面視で互いに内向き傾斜状（実施形態では平面視略く字状）に形成されている。
【００９６】
両サイドフレーム１１１，１１１の横アーム部１１５，１１５に対しては、リヤフレーム１１２の両水平アーム部１２０，１２０がそれぞれ着脱可能に嵌め合わされている。実施形態では、リヤフレーム１１２の各水平アーム部１２０に、これに対応するサイドフレーム１１１の横アーム部１１５を被嵌した状態で、サイドフレーム１１１の横アーム部１１５に貫通形成された穴１１５ａに、リヤフレーム１１２の水平アーム部１２０に貫通形成された穴１２０ａを介してピン１２１を着脱可能に挿入することにより、両サイドフレーム１１１，１１１とリヤフレーム１１２とが抜け不能に連結されている。なお、リヤフレーム１１２の各水平アーム部１２０に、各サイドフレーム１１１の横アーム部１１５を嵌挿する構成でも構わない。
【００９７】
リヤフレーム１１２の本体部１１９と底板６２の後端部との間に取り付けられた一対の板ばね１２２，１２２は、底板６２の水平軸６４回りの回動に際して弾性的な抵抗を付与するためのものである。これにより、芝刈作業時や通常走行時に底板６２を例えば縁石や地面に突き当てたとしても、底板６２は各板ばね１２２の弾性に抗して衝撃力の向きに合わせるように上向きに逃げ回動するので、底板６２に衝撃力が作用するのを緩和又は防止することができる。なお、板ばね等の弾性体は、両サイドフレーム１１１，１１１の横アーム部１１５，１１５と底板６２とを着脱可能に連結する構成でも構わない。
【００９８】
以上のように構成すると、集草ボックス２３を、左右一対のサイドフレーム１１１，１１１とリヤフレーム１１２と底板６２と一対の板ばね１２２，１２２と梁フレーム１１３，１１４とに簡単に分割することができるので、集草ボックス２３の構成物品群を、嵩張らないように平面的にまとめてコンパクトに梱包することが可能になる。これにより、保管時や運搬時等の取り扱いが容易になると共に、保管に必要な空間や運搬費等のコストを抑制することができるのである。
【００９９】
また、サイドフレーム１１１の横アーム部１１５とリヤフレーム１１２の水平アーム部１２０とを嵌め合わせた部分は、平面視で互いにリヤフレーム１１２に向かうにつれて並び間隔が狭まるように延びていて平行状ではないので、リヤフレーム１１２を引っ張ったりしても両サイドフレーム１１１，１１１から簡単に抜けることはなく、両サイドフレーム１１１，１１１とリヤフレーム１１２とは、嵌合するだけでガタ付きなく強固に連結することができる。
【０１００】
従って、実施形態の集草ボックス２３を採用すると、簡単な構造で軽量化を図れるものでありながら、保管や運搬等に際しての分割及び梱包の容易性と、取り付け強度の向上とを同時に達成することができる。
【０１０１】
本発明は、前述の実施形態に限らず、様々な態様に具体化することができる。例えば集草ボックス及び前後両回動板は、油圧シリンダの駆動により連係手段を介して回動する構成に限らず、ばね等の付勢手段により連係手段を介して回動する構成であってもよい。その他、各部の構成は図示の実施形態に限定されるものではなく、本発明の趣旨を逸脱しない範囲で種々変更が可能である。
【図面の簡単な説明】
【０１０２】
【図１】走行型芝刈機の全体側面図である。
【図２】全体平面図である。
【図３】動力伝達系統を示す平面図である。
【図４】モア装置と排出ダクトとの関係を示す平断面図である。
【図５】図２のＶ−Ｖ視側断面図である。
【図６】機体フレームと集草ボックスとの連結構造を示す平面図である。
【図７】回動支軸、支持枠体、連係手段及び集草ボックスの関係を示す分離斜視図である。
【図８】ＰＴＯクラッチレバーとＰＴＯクラッチとの関係を示す概略側面図である。
【図９】集草ボックスが放出姿勢に切替え回動する態様の第１説明図である。
【図１０】集草ボックスが放出姿勢に切替え回動する態様の第２説明図である。
【図１１】集草ボックスが放出姿勢に切替え回動する態様の第３説明図である。
【図１２】集草ボックスが放出姿勢に切替え回動する態様の第４説明図である。
【図１３】集草ボックスの分離斜視図である。
【符号の説明】
【０１０３】
１  走行機体
２  機体フレーム
３  前輪
４  後輪
１２  ＰＴＯクラッチレバー
１３  姿勢切替レバー
１５  モア装置
２１  ダクト部
２２  排出ダクト
２３  集草ボックス
２４  出力軸
２９  無端帯
３０  ＰＴＯ軸
４１  主ダクト体
４２  揺動側板
４３  前回動板
４４  後回動板
４７  前枢軸
５１  後枢軸
５３  リンク杆
６２  底板
７１  回動支軸
７２  支持枠体
７３  係合金具
８３  第１固定リンク
８４  第２固定リンク
８５  回動リンク
８５ａ  案内溝穴
８６  ロックアーム
９２  係合リンク
９３  係合片
９４  ガイドピン
９７  中継杆
１００  連杆
１０１  油圧シリンダ
１０２  ピストンロッド
１０３  接続ロッド
１０５  レバー軸
１０６  クラッチ操作板
１０７  ＰＴＯクラッチ
１０８  クラッチワイヤ
１０９  連結ブロック
１１４  後梁フレーム
１１１  サイドフレーム
１１２  リヤフレーム
１２２  板ばね
【図１】
2006238798.tif 000003
【図２】
2006238798.tif 000004
【図３】
2006238798.tif 000005
【図４】
2006238798.tif 000006
【図５】
2006238798.tif 000007
【図６】
2006238798.tif 000008
【図７】
2006238798.tif 000009
【図８】
2006238798.tif 000010
【図９】
2006238798.tif 000011
【図１０】
2006238798.tif 000012
【図１１】
2006238798.tif 000013
【図１２】
2006238798.tif 000014
【図１３】
2006238798.tif 000015